(57)【特許請求の範囲】
【請求項１】
建物の壁の開口部を開閉するシャッターカーテンを備えたシャッターを対象とした浸水防止構造であり、前記シャッターカーテンと前記開口部との相互間の隙間から水が浸入することを防止するための浸水防止構造であって、
前記シャッターカーテンの下端部において、前記開口部の幅方向の少なくとも一方の端部側に設けられた止水手段と、
前記開口部よりも当該建物の内側又は外側の少なくとも一方において、前記開口部の幅方向の少なくとも一方の端部側であり、前記止水手段側の端部側に設けられた支持手段であって、前記シャッターカーテンによって当該開口部を全閉した状態において、前記建物の内側又は前記建物の外側から当該止水手段と接触することにより、当該止水手段を支持する支持手段と、を備え、
前記止水手段を上方から下方に向けて前記支持手段に接触させる場合に、当該止水手段における当該支持手段と接触する第１接触側面全体が、当該支持手段における当該止水手段と接触する第２接触側面全体と接触可能となるように、当該第１接触側面と当該第２接触側面とをそれぞれ傾斜状に形成し、
前記第１接触側面と前記第２接触側面の傾斜方向を、下方に至るに伴ってシャッターカーテンに近づく傾斜方向とし、
前記シャッターカーテンによって前記開口部を全閉した状態において、前記第１接触側面と前記第２接触側面との相互間の隙間から水が浸入しないように、当該第１接触側面と当該第２接触側面とを接触させた、
浸水防止構造。
【請求項２】
前記止水手段は、
前記シャッターカーテンの下端部から下方に向けて張り出された本体部と、
前記本体部における前記支持手段と対応する部分のみから前記建物の内側又は前記建物の外側に向けて突出するように設けられた当接部と、を備え、
前記シャッターカーテンによって前記開口部を全閉した状態において、前記当接部と前記支持手段との相互間で、前記第１接触側面と前記第２接触側面とを接触させた、
請求項１に記載の浸水防止構造。
【請求項３】
前記シャッターカーテンによって前記開口部を全閉した状態において、前記建物の内側から前記止水手段と接触し、且つ、当該建物の外側から当該止水手段と接触することにより、当該止水手段を支持できるように、前記開口部よりも当該建物の内側と外側との各々に前記支持手段を配置した、
請求項１又は２に記載の浸水防止構造。
【請求項４】
前記止水手段における前記支持手段側の側面には、前記シャッターカーテンによって前記開口部を全閉した状態において、当該支持手段によって押圧されて変形することにより、当該止水手段と当該支持手段との気密性を高めるための気密手段を設け、
前記気密手段における前記支持手段側の側面を、前記第１接触側面とした、
請求項１から３のいずれか一項に記載の浸水防止構造。
【請求項５】
前記支持手段の下面と前記第２接触側面とがなす内角を、４５度よりも大きく、且つ、９０度よりも小さくした、
請求項１から４のいずれか一項に記載の浸水防止構造。
【発明の詳細な説明】
【技術分野】
【０００１】
本発明は、浸水防止構造に関する。
【背景技術】
【０００２】
従来、建物の壁に設けられた開口部を開閉するシャッターカーテンの周囲からの浸水を防止する浸水防止構造が用いられている。例えば、このような浸水防止構造は、シャッターの屋外側に積み上げられた土嚢を防止堰として構成されていた。この浸水防止構造によれば、積み上げられた土嚢によって、建物の外側からの水をせき止めることができるので、シャッターカーテンの周囲からの浸水を防止できる。
【０００３】
しかしながら、このような浸水防止構造では、シャッターの屋外側に土嚢を積み上げなければならないので、当該構造を容易且つ迅速に設置することが難しかった。そこで、このような問題を解消するために、シャッターに止水機能を設けた浸水防止構造が提案されている（例えば、特許文献１参照）。この浸水防止構造は、シャッターのシャッターカーテンの下端部に取り付けられた止水板と、シャッターのガイドレールの下端部に配置された止水用ガイドレールであって、止水板を上下方向に移動するように案内する止水用ガイドレールとを設けて構成されている。また、この止水用ガイドレールには、シャッターカーテンによって開口部を全閉した状態において、止水板と止水用ガイドレールとの相互間の隙間を密閉するためのシール部材が取り付けられている。そして、このシール部材における止水板との接触側面と、止水板におけるシール部材との接触側面とが、それぞれ上下方向（鉛直方向）に沿うように形成されている。このような構成により、止水板によって、建物の外側からの水をせき止めることができるため、シャッターカーテンの周囲からの浸水を防止することが可能となる。また、土嚢をシャッターの屋外側に積み上げて防止堰を構築する場合に比べて、容易且つ迅速に設置することが可能となる。
【先行技術文献】
【特許文献】
【０００４】
【特許文献１】実開平７−２５１９５号公報
【発明の概要】
【発明が解決しようとする課題】
【０００５】
ここで、特許文献１のような技術においては、上述したように、シール部材における止水板との接触側面と、止水板におけるシール部材との接触側面とが、上下方向に沿うように形成されているので、開口部を全閉した状態においてこれら２つの接触側面を相互に接触させるためには、これら２つの接触側面のクリアランスをほぼゼロとした上で、止水板を上下方向に沿って正確に下ろす必要がある。しかしながら、シャッターカーテンの振動（又は揺動）に伴って止水板が振動（又は揺動）すると、止水板を正確に下ろすことが難しくなり、開口部を全閉した状態において接触側面同士を接触させることが難しくなるという問題があった。また、止水板を止水用ガイドレールの上端部から下端部まで移動させるまでの間において、上述した接触側面同士が常に接触することになるため、この接触による抵抗を止水板が受けることで、止水板をスムーズに移動させることが難しくなるという問題があった。さらに、特許文献１の技術においては、接触側面同士が常に接触することになるため、シャッターカーテンの上下移動が繰り返される毎に、シール部材と止水板とが常に擦れてしまい、シール部材が劣化し易いという問題があった。
【０００６】
本発明は、上記従来技術における課題を解決するためのものであって、止水板の如き止水手段をスムーズに移動させることができ、且つ、開口部を全閉した状態において、止水手段における止水用ガイドレールの如き支持手段との接触側面と、支持手段における止水手段との接触側面とを接触させることが容易となる、浸水防止構造を提供することを目的とする。
【課題を解決するための手段】
【０００７】
上述した課題を解決し、目的を達成するために、請求項１に記載の浸水防止構造は、建物の壁の開口部を開閉するシャッターカーテンを備えたシャッターを対象とした浸水防止構造であり、前記シャッターカーテンと前記開口部との相互間の隙間から水が浸入することを防止するための浸水防止構造であって、前記シャッターカーテンの下端部において、前記開口部の幅方向の少なくとも一方の端部側に設けられた止水手段と、前記開口部よりも当該建物の内側又は外側の少なくとも一方において、前記開口部の幅方向の少なくとも一方の端部側であり、前記止水手段側の端部側に設けられた支持手段であって、前記シャッターカーテンによって当該開口部を全閉した状態において、前記建物の内側又は前記建物の外側から当該止水手段と接触することにより、当該止水手段を支持する支持手段と、を備え、前記止水手段を上方から下方に向けて前記支持手段に接触させる場合に、当該止水手段における当該支持手段と接触する第１接触側面全体が、当該支持手段における当該止水手段と接触する第２接触側面全体と接触可能となるように、当該第１接触側面と当該第２接触側面とをそれぞれ傾斜状に形成し、前記第１接触側面と前記第２接触側面の傾斜方向を、下方に至るに伴ってシャッターカーテンに近づく傾斜方向とし、前記シャッターカーテンによって前記開口部を全閉した状態において、前記第１接触側面と前記第２接触側面との相互間の隙間から水が浸入しないように、当該第１接触側面と当該第２接触側面とを接触させた。
【０００８】
請求項２に記載の浸水防止構造は、請求項１に記載の浸水防止構造において、前記止水手段は、前記シャッターカーテンの下端部から下方に向けて張り出された本体部と、前記本体部における前記支持手段と対応する部分のみから前記建物の内側又は前記建物の外側に向けて突出するように設けられた当接部と、を備え、前記シャッターカーテンによって前記開口部を全閉した状態において、前記当接部と前記支持手段との相互間で、前記第１接触側面と前記第２接触側面とを接触させた。
【０００９】
請求項３に記載の浸水防止構造は、請求項１又は２に記載の浸水防止構造において、前記シャッターカーテンによって前記開口部を全閉した状態において、前記建物の内側から前記止水手段と接触し、且つ、当該建物の外側から当該止水手段と接触することにより、当該止水手段を支持できるように、前記開口部よりも当該建物の内側と外側との各々に前記支持手段を配置した。
【００１０】
請求項４に記載の浸水防止構造は、請求項１から３のいずれか一項に記載の浸水防止構造において、前記止水手段における前記支持手段側の側面には、前記シャッターカーテンによって前記開口部を全閉した状態において、当該支持手段によって押圧されて変形することにより、当該止水手段と当該支持手段との気密性を高めるための気密手段を設け、前記気密手段における前記支持手段側の側面を、前記第１接触側面とした。
【００１１】
請求項５に記載の浸水防止構造は、請求項１から４のいずれか一項に記載の浸水防止構造において、前記支持手段の下面と前記第２接触側面とがなす内角を、４５度よりも大きく、且つ、９０度よりも小さくした。
【発明の効果】
【００１２】
請求項１に記載の浸水防止構造によれば、止水手段を上方から下方に向けて支持手段に接触させる場合に、止水手段における支持手段と接触する第１接触側面全体が、支持手段における止水手段と接触する第２接触側面全体と接触可能となるように、第１接触側面と第２接触側面とをそれぞれ傾斜状に形成し、シャッターカーテンによって開口部を全閉した状態において、第１接触側面と第２接触側面との相互間の隙間から水が浸入しないように、第１接触側面と第２接触側面とを接触させたので、上記開口部を全閉した状態において、シャッターカーテンと開口部との相互間の隙間から水が浸入することを防止できる。特に、第１接触側面と第２接触側面とが上記傾斜状に形成されているので、第１接触側面と第２接触側面とが上下方向に沿うように直線状に形成された場合と比べて、止水手段を支持手段の上端部から下端部まで移動させるまでの間であって、上記開口部を全閉した状態の直前に至るまでの間において、第１接触側面と第２接触側面との相互間の隙間を確保することができる。よって、シャッターカーテンの振動（又は揺動）に伴って止水手段が振動（又は揺動）した場合でも、開口部を全閉した状態において第１接触側面と第２接触側面とを接触させることが容易となる。また、上記止水手段を支持手段の上端部から下端部まで移動させるまでの間において、第１接触側面と第２接触側面とを接触させる必要がないため、止水手段をスムーズに移動させることが可能となる。
【００１３】
請求項２に記載の浸水防止構造によれば、止水手段は、シャッターカーテンの下端部から下方に向けて張り出された本体部と、本体部における支持手段と対応する部分のみから建物の内側又は建物の外側に向けて突出するように設けられた当接部と、を備えたので、当接部を本体部の幅方向全長にわたって設置した場合に比べて、当接部の重量を低減できる。このため、当該浸水防止構造を既設のシャッターに設置した場合でも、シャッターカーテンに止水手段を加えた重量が、シャッターの既設の開閉機の巻き上げ荷重を超えることを回避することができ、既設の開閉機をそのまま使用することが可能となる。
【００１４】
請求項３に記載の浸水防止構造によれば、開口部よりも建物の内側と外側との各々に支持手段を配置したので、開口部よりも建物の外側（又は建物の内側）のみに支持手段を配置した場合に比べて、止水手段を安定して支持できることから、止水手段と支持手段との相互間の隙間から水が浸入することを一層抑制することが可能となる。
【００１５】
請求項４に記載の浸水防止構造によれば、止水手段における支持手段側の側面には、シャッターカーテンによって開口部を全閉した状態において、支持手段によって押圧されて変形することにより、止水手段と支持手段との気密性を高めるための気密手段を設けたので、上記開口部を全閉した状態において、支持手段によって気密手段が押圧されて変形することにより、気密手段と支持手段とを密着させることができる。よって、止水手段と支持手段との気密性を高めることができるので、止水手段と支持手段との相互間の隙間から水が浸入することを抑制することが可能となる。また、止水手段に気密手段を設けたので、支持手段に気密手段を設けた場合に比べて、気密手段に水や埃等の異物が溜まりにくいことから、気密手段の劣化を抑制することが可能となる。さらに、傾斜面である第１接触側面に気密手段を設けているので、シャッターカーテンの上下移動が繰り返されたとしても、第１接触側面と第２接触側面とが上下方向に沿うように直線状に形成された場合と比べて、気密手段と支持手段とが擦れにくくなるため、気密手段の劣化を抑制することが可能となる。
【００１６】
請求項５に記載の浸水防止構造によれば、支持手段の下面と第２接触側面とがなす内角を、４５度よりも大きく、且つ、９０度よりも小さくしたので、当該内角を０度よりも大きく、且つ、４５度よりも小さくした場合に比べて、シャッターカーテンによって開口部を全閉した状態において、水圧によって止水手段が浮き上がることを抑制でき、止水手段を安定して支持することが可能となる。また、支持手段の高さ寸法を浸水防止のために必要になる高さ寸法とするためには、支持手段の幅寸法についてもある程度長くする必要があるが、上記内角を大きくした場合には、上記内角を４５度よりも小さくした場合に比べて、支持手段の幅寸法を抑制することが可能になり、浸水防止構造の設置スペースを抑制することが可能になる。
【図面の簡単な説明】
【００１７】
【図１】本発明の実施の形態に係るシャッターであって、開口部全閉状態のシャッターを示す図であり、（ａ）は屋内側から見た正面図、（ｂ）は（ａ）のＡ−Ａ矢視断面図である。
【図２】図１（ｂ）の下方領域の拡大図である。
【図３】図１（ａ）のＢ−Ｂ矢視断面図である。
【図４】止水部を示す図であり、（ａ）は正面図、（ｂ）は（ａ）のＣ−Ｃ矢視断面図、（ｃ）は（ａ）のＤ−Ｄ矢視断面図である。
【図５】開口部を全開状態とした場合のシャッターを示す正面図である。
【図６】止水部の変形例を示す図である。
【発明を実施するための形態】
【００１８】
以下に添付図面を参照して、この発明に係る浸水防止構造の実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００１９】
〔I〕実施の形態の基本的概念
まず、実施の形態の基本的概念について説明する。実施の形態は、概略的に、建物の壁の開口部を開閉するシャッターカーテンを備えたシャッターを対象とした浸水防止構造であり、シャッターカーテンと開口部との相互間の隙間から水が浸入することを防止する、浸水防止構造に関するものである。
【００２０】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の壁の開口部」とは、建物の壁（建物の躯体を構成する壁や、外壁を含む）において窓や入り口を設置するために形成された開口である。また、「シャッター」とは、防犯や防火のために、建物の開口部に取り付けられる巻上げ戸であり、例えば、窓シャッター、軽量シャッター、重量シャッター等を含む概念である。また、シャッターの駆動方式は任意であり、例えば、「手動式のシャッター」や「電動式のシャッター」として構成することができる。また、シャッターの開閉構造は任意であり、例えば、「上下開閉式のシャッター」として構成することができる。また、「水が浸入する」とは、開閉体よりも建物の外側にある水が、開閉体よりも建物の内側に入りこむことを意味する。以下、実施の形態では、シャッターが、集合住宅の如き建物の壁に設けられた上下開閉式且つ電動式の重量シャッターである場合について説明する。
【００２１】
〔II〕実施の形態の具体的内容
次に、実施の形態の具体的内容について説明する。
【００２２】
（構成）
最初に、実施の形態に係る浸水防止構造が適用されるシャッターの構成について説明する。図１は、本発明の実施の形態に係るシャッターであって、後述する開口部全閉状態のシャッターを示す図であり、（ａ）は屋内側から見た正面図、（ｂ）は（ａ）のＡ−Ａ矢視断面図である。図２は、図１（ｂ）の下方領域の拡大図である。なお、以下の説明では、図１のＸ方向をシャッターの左右方向（−Ｘ方向をシャッターの左方向、＋Ｘ方向をシャッターの右方向）、図１のＹ方向をシャッターの前後方向（＋Ｙ方向をシャッターの前方向（建物の外側の方向）、−Ｙ方向をシャッターの後方向（建物の内側の方向））、図１のＺ方向をシャッターの上下方向（＋Ｚ方向をシャッターの上方向、−Ｚ方向をシャッターの下方向）と称する。
【００２３】
これら図１（ａ）、図１（ｂ）に示すように、シャッター１は、概略的に、シャッター収納部１０と、ガイドレール２０、シャッターカーテン３０と、開閉機４０と、くつずり部５０とを備えて構成されている。ただし、シャッター１に関する特記しない構成については、従来と同様であるものとして説明を省略する。
【００２４】
（構成−シャッター収納部）
シャッター収納部１０は、シャッター１の各部を収納するための中空体であり、建物における開口部３の上端近傍位置に取り付けられている。このシャッター収納部１０の内部には、開閉機４０と、巻き取り軸４１とが収容されている。また、巻き取り軸４１にてシャッターカーテン３０が巻き取られた状態では、シャッターカーテン３０の少なくとも一部も、シャッター収納部１０の内部に収容される。このシャッター収納部１０の下側部における建物の外側及び建物の内側には、まぐさ（図示省略）が固定されている。これらまぐさの相互間には、開口部３の左右方向全長にわたるまぐさ開口（図示省略）が形成されており、このまぐさ開口を介してシャッターカーテン３０の出し入れが行われる。
【００２５】
（構成−ガイドレール）
ガイドレール２０は、シャッターカーテン３０を開口部３の開閉方向（すなわち、上下方向）に沿って移動するように案内するものである。このガイドレール２０は、横断面形状が略コ字状となるように形成された長尺体であり、シャッター１の左右の各端部において、上下方向に略沿う方向で配置されており、建物の壁に対して直接的に固定されたり、又は下地材（図示省略）を介して間接的に固定されている。
【００２６】
（構成−シャッターカーテン）
シャッターカーテン３０は、巻き取り軸４１によって巻き取り又は巻き出しされることで、開口部３を全開した状態、開口部３を全閉した状態、あるいは半開状態とする遮蔽手段である。図２に示すように、このシャッターカーテン３０は、複数のスラット３０ａを備えて構成されており、各スラット３０ａの上下の両端部には嵌合部３０ｂが設けられている。この嵌合部３０ｂは、複数のスラット３０ａを相互に嵌合接続するために各スラット３０ａの上下の両端部に設けられたもので、これら両端部を屈曲させることによって形成されている。また、このシャッターカーテン３０の左右方向の両端部の各々は、ガイドレール２０のコ字状の開放端部を介してガイドレール２０の内部に挿入されており、上下方向においてはガイドレール２０の内部をスライド移動可能であり、かつ、前後方向においてはガイドレール２０の外部に脱落しないように規制されている。
【００２７】
また、シャッターカーテン３０の下端部には、座板３１が設けられている。この座板３１は、シャッターカーテン３０によって開口部３を全閉した状態（以下、「開口部全閉状態」と称する）において建物の床面と近接するように配置されたものであり、シャッターカーテン３０の下端部の左右方向全長にわたって形成されている。この座板３１は、通常、座板バー３２と、座板バー３２の下端部に取り付けられた略水平状の座板片とを備えて構成されているが、実施の形態では、座板片を省略して、座板バー３２のみで構成されている。また、この座板バー３２の上端部には嵌合部３１ａが設けられており、この嵌合部３１ａをシャッターカーテン３０の最下方側のスラット３０ａにおける下端部の嵌合部３０ｂに嵌合させることで、座板バー３２がシャッターカーテン３０に取付けられている。
【００２８】
（構成−くつずり部）
くつずり部５０は、開口部全閉状態において、後述する止水部６０の下面と接触するものである。このくつずり部５０が設けられた理由は、以下の通りである。すなわち、開口部全閉状態において、後述する止水部６０と建物の床面とを直接接触させた場合に、建物の床面の形状が凹凸状である場合に、建物の床面の形状が平坦状である場合に比べて、後述する止水部６０と建物の床面とを密着させづらくなるので、後述する止水部６０と建物の床面との相互間の隙間から水が浸入する可能性があった。そこで、このような問題を解消するために、くつずり部５０が設けられている。このくつずり部５０は、建物の床面における後述する止水部６０と対向する部分に形成された溝部４に配置されており、台座部５１と、当接部５２と、補強部５３とを備えている。
【００２９】
台座部５１は、当接部５２及び補強部５３を支持するものである。この台座部５１は、略矩形状の肉厚な板状体であり、後述する止水部６０の左右方向全長にわたって形成されており、溝部４の底面に配置されている。
【００３０】
当接部５２は、開口部全閉状態において、後述する止水部６０と接触するものである。この当接部５２は、縦断面形状が逆凹状に形成されており（特に、上面が平坦状に形成されており）、後述する止水部６０の左右方向全長にわたって形成されている。また、この当接部５２は、台座部５１の上面に載置されており、台座部５１に対してボルト等により固定されている。ここで、この当接部５２の大きさ及び配置については任意であるが、実施の形態においては、開口部全閉状態において、当接部５２と後述する止水部６０とを確実に接触できるように、当接部５２の上面が建物の床面よりも突出し、且つ水平となるように配置されている。また、この当接部５２の上面の前後方向の長さ（幅）は、後述する止水部６０が水圧によって建物の内側に向けて撓んだ場合であっても、後述する止水部６０が当接部５２の上面に常に当接可能となるような長さに設定されている。
【００３１】
補強部５３は、当接部５２を補強するためのものである。この補強部５３は、例えば、モルタルや鉄筋とを含む公知のコンクリート体等を用いて構成されており、当接部５２と台座部５１とによって囲繞された空間内に充填されている。
【００３２】
このようなくつずり部５０によって、開口部全閉状態において、くつずり部５０と後述する止水部６０の下面とを密着させることができるので、後述する止水部６０とくつずり部５０との相互間の隙間から水が浸入することを抑制することが可能となる。
【００３３】
（構成−開閉機）
開閉機４０は、巻き取り軸４１を回転駆動することによって電動でシャッターカーテン３０を昇降させる昇降手段であり、操作スイッチやリモコン（いずれも図示せず）を介して操作される。
【００３４】
（構成−浸水防止構造）
次に、シャッター１の構成の詳細について説明する。図３は、図１（ａ）のＢ−Ｂ矢視断面図である。図４は、後述する止水部６０を示す図であり、（ａ）は正面図、（ｂ）は（ａ）のＣ−Ｃ矢視断面図、（ｃ）は（ａ）のＤ−Ｄ矢視断面図である。図５は、開口部３を全開状態とした場合のシャッター１を示す正面図である。このシャッター１は、開口部全閉状態において、シャッターカーテン３０と開口部３との相互間の隙間から水が浸入することを防止するための浸水防止構造を備えている。ここで、「シャッターカーテン３０と開口部３との相互間の隙間」とは、建物の床面と後述する止水部６０の下端部との相互間の隙間（下方隙間）、左側のガイドレール２０と後述する止水部６０の左側端部との相互間の隙間（左側方隙間）、及び右側のガイドレール２０と後述する止水部６０の右側端部との相互間の隙間（右側方隙間）とを含む概念である。また、図１から図４に示すように、この浸水防止構造は、止水部６０と、支持部９０ａ〜９０ｄとを備えて構成されている。以下では、この浸水防止構造について説明する。
【００３５】
（構成−浸水防止構造−止水部）
最初に、止水部６０について説明する。この止水部６０は、開口部全閉状態において、シャッターカーテン３０と開口部３との相互間の隙間を覆うことにより、この隙間から水が浸入することを防止するための止水手段である。図１から図４に示すように、この止水部６０は、座板バー３２の下端部において、開口部３の幅方向（すなわち、左右方向）の少なくとも一方の端部側に設置されており（実施の形態では、開口部３の左右方向の略全長にわたって設置されており）、本体部７０と、当接部８０ａ〜８０ｄとを備えている。
【００３６】
（構成−浸水防止構造−止水部−本体部）
本体部７０は、止水部６０の基本構造体である。この本体部７０は、座板バー３２の下端部から下方に向けて張り出すように配置されており、枠部７１と、表面材７３ａ、７３ｂと、補強材７４とを備えて構成されている。
【００３７】
枠部７１は、本体部７０の剛性を主として担うものである。この枠部７１は、複数のスチール製の枠材７２ａ〜７２ｄを溶接等により組み合わせることによって、正面形状が矩形環状となるように形成されている。また、これら複数の枠材７２ａ〜７２ｄは、左右一対の縦枠材７２ａ、７２ｂ、及び上下一対の横枠材７２ｃ、７２ｄから構成されている。このうち、左右一対の縦枠材７２ａ、７２ｂは、長手方向の長さが相互に略同一となるように形成されており、上下方向に略沿うように配置されている。また、上下一対の横枠材７２ｃ、７２ｄは、長手方向の長さが相互に略同一となるように形成されており、左右方向に略沿うように配置されている。以下では、必要に応じて、縦枠材７２ａ、７２ｂのうち、左側の縦枠材７２ａを「左側縦枠材７２ａ」と称し、右側の縦枠材７２ｂを「右側縦枠材７２ｂ」と称し、横枠材７２ｃ、７２ｄのうち、上側の横枠材７２ｃを「上側横枠材７２ｃ」と称し、下側の横枠材７２ｄを「下側横枠材７２ｄ」と称する。
【００３８】
ここで、左側縦枠材７２ａ及び右側縦枠材７２ｂの各々の上下方向の長さについては、実施の形態においては、建物の床面から想定される水面までの距離（例えば、３００ｍｍ等）と略同一の長さに設定されている（あるいは、建物の床面から想定される水面までの距離よりも長く設定されてもよい）。また、上側横枠材７２ｃ及び下側横枠材７２ｄの各々の左右方向の長さについては、実施の形態では、左側のガイドレール２０と右側のガイドレール２０との相互間の間隔の長さよりもよりも若干短い長さに設定されている。
【００３９】
表面材７３ａ、７３ｂは、建物の外側と建物の内側から相互に対向するように配置されることで、中空箱状体を構成する。表面材７３ａは、本体部７０の建物の外側に配置され、表面材７３ｂは、本体部７０の建物の内側に配置されており、枠部７１に対して接着剤等によって固定されている。また、表面材７３ａ、７３ｂの形状については任意であるが、実施の形態では、表面材７３ａ、７３ｂによって形成される中空箱状体の左右方向の長さ（幅）が枠部７１の左右方向の長さと略同一となり、当該中空箱状体の前後方向の長さ（奥行き）が枠部７１の前後方向の長さと略同一となり、当該中空箱状体の上下方向の長さ（高さ）が枠部７１の上下方向の長さと略同一となるように、これら表面材７３ａ、７３ｂが形成されている。なお、これら表面材７３ａ、７３ｂは、任意の方法で製造することができるが、例えば、ステンレス製の板状体を折り曲げ成形することによって製造することができる。以下では、必要に応じて、表面材７３ａ、７３ｂのうち、建物の外側に配置された表面材７３ａを「屋外側表面材７３ａ」と称し、建物の内側に配置された表面材７３ｂを「屋内側表面材７３ｂ」と称する。
【００４０】
補強材７４は、本体部７０を補強するためのものである。この補強材７４は、縦断面形状が略Ｕ字状（又は略逆Ｕ字状）となるように形成されており、当該補強材７４の左右方向の長さが上側横枠材７２ｃ（又は下側横枠材７２ｄ）の左右方向の長さと略同一となるように形成されている。また、この補強材７４は、枠部７１の内部において、当該補強材７４の長手方向が左右方向に略沿うように配置されていると共に、所定間隔を隔てて上下方向に沿って複数並設配置されている。そして、これら複数の補強材７４の各々は、屋外側表面材７３ａ及び屋内側表面材７３ｂに対して接着剤等によって固定されていると共に、上側横枠材７２ｃ（又は下側横枠材７２ｄ）は溶接等により固定されている。なお、このような補強材７４は、任意の方法で製造することができるが、例えば、スチール製の板状体を折り曲げ成形することによって製造することができる。
【００４１】
また、この本体部７０には、接続片７５と、張出部７６とが設けられている。このうち、接続片７５は、本体部７０と座板バー３２とを接続するためのものである。この接続片７５は、縦断面形状がＬ字状になるように形成されており、座板バー３２と本体部７０との相互間に配置されている。また、この接続片７５の接続については、具体的には、接続片７５の第１側片７５ａが、本体部７０の上面と当接するように配置され、上側横枠材７２ｃに対してビス等により接続されている。また、接続片７５の第２側片７５ｂが、座板バー３２の前面と当接するように配置され、当該第２側片７５ｂ及び座板バー３２の各々に形成された挿通孔（いずれも図示省略）を介して、座板バー３２に対してボルト及びナット等にて接続されている。なお、この接続片７５は、任意の方法で製造することができるが、例えば、公知のＬ型のアングル鋼に対して、複数の挿通孔を打ち抜き形成することにより、製造することができる。このような接続片７５により、止水部６０を座板バー３２に対して容易に取り付けることが可能となる。また、図１、図５に示すように、シャッターカーテン３０の上下方向の移動に伴って止水部６０を移動させることができるので、止水部６０を座板バー３２に常時取り付けた状態で、シャッター１を使用することが可能となる。
【００４２】
また、張出部７６は、ガイドレール２０の内部において、止水部６０を上下方向に沿ってスライド移動させるためのものである。この張出部７６は、ステンレス製の肉厚板状部材であり、本体部７０の左右方向の両端部の各々において、本体部７０の上下方向全長にわたって設置されている。具体的には、各張出部７６が、対応するガイドレール２０のコ字状の開放端部を介して当該ガイドレール２０の内部に挿入可能となるように、本体部７０の左端部（又は右端部）から外側に向けてそれぞれ張り出されており、左側縦枠材７２ａ（又は右側縦枠材７２ｂ）に対して溶接又は固定具等により接続されている。このような張出部７６により、ガイドレール２０の内部において止水部６０を上下方向に沿って安定してスライド移動させることができる。
【００４３】
（構成−浸水防止構造−止水部−当接部）
当接部８０ａ〜８０ｄは、開口部全閉状態において、支持部９０と直接的又は間接的に接触するものである。このうち、当接部８０ａ、８０ｃは、本体部７０から建物の外側に向けて突出するように配置されており、当接部８０ｂ、８０ｄは、本体部７０から建物の内側に向けて突出するように配置されている。また、これら当接部８０ａ〜８０ｄの各々は、表面材８１と、接続片８２とを備えている。
【００４４】
表面材８１は、一側面（例えば、本体部７０と対向する側面等）を開放した中空箱状体にて形成されており、具体的には、表面材８１の左右方向の長さ（幅）が、支持部９０の左右方向の長さ（幅）よりも短く、表面材８１の上下方向の長さ（高さ）が、建物の床面から想定される水面までの距離（例えば、３００ｍｍ等）と略同一の長さとなるように形成されている。また、この表面材８１の開放面が本体部７０と当接するように、当該表面材８１は本体部７０に設置されている。なお、この表面材８１は、任意の方法で製造することができるが、例えば、ステンレス製の板状体を折り曲げ成形することによって製造することができる。
【００４５】
接続片８２は、表面材８１を本体部７０に接続させるためのものである。接続片８２が、横断面形状が略Ｕ字状となるように形成されており、表面材８１の内部において、この接続片８２の第１側片８２ａが本体部７０と当接するように配置され、この接続片８２の第２側片８２ｂが当接部８０の左面と当接するように配置され、及び、この接続片８２の第３側片８２ｃが当接部８０の右面と当接するように配置されている。また、この接続片８２による表面材８１と本体部７０との接続については、具体的には、第１側片８２ａが、本体部７０の表面材８１及び本体部７０の左側縦枠材７２ａ（又は右側縦枠材７２ｂ）に対してビス等によって接続されている。また、これら第２側片８２ｂ及び第３側片８２ｃの各々が、表面材８１に対してビスによって接続されている。この場合において、表面材８１と本体部７０との境界部分に水が浸入しないように、例えば、この境界部分が公知のコーキング材によって被覆されてもよい。
【００４６】
このように構成された当接部８０ａ〜８０ｄの各々は、任意の方法で製造することができるが、例えば、ステンレス製の板状体を折り曲げ成形することによって製造することができる。なお、以下では、必要に応じて、当接部８０ａ〜８０ｄのうち、建物の外側且つ左側の当接部８０ａを「左屋外側当接部８０ａ」と称し、建物の内側且つ左側の当接部８０ｂを「左屋内側当接部８０ｂ」と称し、建物の外側且つ右側の当接部８０ｃを「右屋外側当接部８０ｃ」と称し、建物の内側且つ右側の当接部８０ｄを「右屋内側当接部８０ｄ」と称する。なお、これら左屋外側当接部８０ａ、左屋内側当接部８０ｂ、右屋外側当接部８０ｃ、及び右屋内側当接部８０ｄを特に区別する必要のないときは、単に「当接部８０」と総称する。
【００４７】
（構成−浸水防止構造−支持部）
支持部９０ａ〜９０ｄは、開口部全閉状態において、止水部６０を支持するための支持手段である。これら支持部９０ａ、９０ｂは、開口部３の幅方向の一方の端部側（すなわち、開口部３の左端部側）に配置されており、これら支持部９０ｃ、９０ｄは、開口部３の幅方向の他方の端部側（すなわち、開口部３の右端部側）に配置されている。また、これら支持部９０ａ〜９０ｄの各々は、表面材９１と、第１枠材９２と、第２枠材９３とを備えている。
【００４８】
表面材９１は、一側面（例えば、建物の壁面（躯体２）と対向する側面等）を開放した中空箱状体にて形成されており、具体的には、表面材９１の上下方向の長さ（高さ）が、建物の床面から想定される水面までの距離（例えば、３００ｍｍ等）よりも長くなるように形成されている。この表面材９１の設置については、実施の形態では、開口部全閉状態において、止水部６０と接触可能となるように、建物の壁面から開口部３の中央側に向けて突出するように、建物の床面に載置されている。そして、表面材９１と建物の壁面との境界部分、及び表面材９１と建物の床面との境界部分に水が浸入しないように、例えば、これら境界部分が公知のコーキング材によって被覆されている。なお、この表面材９１は、任意の方法で製造することができるが、例えば、ステンレス製の板状体を折り曲げ成形することによって製造することができる。
【００４９】
第１枠材９２は、表面材９１における止水部６０側の部分を補強するためのものである。この第１枠材９２は、横断面形状が略Ｌ字状となるように形成されており、具体的には、表面材９１の上下方向全長にわたって形成されていると共に、止水部６０によって加えられる圧力に対して抵抗できるように、第２枠材９３よりも肉厚に形成されている。また、この第１枠材９２の接続については、具体的には、第１枠材９２の第１側片９２ａが表面材９１における止水部６０の当接部８０と対応する部分と当接するように配置され、表面材９１に対してビス等によって接続されている。また、第１枠材９２の第２側片９２ｂが、建物の壁面と当接するように配置され、当該第２側片９２ｂに形成された挿通孔（図示省略）及び建物の壁面に形成されたネジ孔（図示省略）を介して、建物の壁面に対して取付ネジやアンカーボルト等によって接続されている。また、この第２側片９２ｂの構成については任意であるが、実施の形態では、当該第２側片９２ｂの上側部分の一部が上下方向に沿うように切り欠かれている。なお、この第１枠材９２は、任意の方法で製造することができるが、例えば、公知のＬ型アングル鋼のうち、第２側片９２ｂに対応する部分の一部を切断することによって製造することができる。
【００５０】
第２枠材９３は、表面材９１における止水部６０側とは反対側の部分を補強するためのものである。この第２枠材９３は、横断面形状が略Ｌ字状となるように形成されており、表面材９１の上下方向全長にわたって形成されている。また、この第２枠材９３の接続については、具体的には、第２枠材９３の第１側片９３ａが建物の壁面と当接するように配置され、当該第１側片９３ａに形成された挿通孔（図示省略）、及び建物の壁面に形成されたネジ孔（図示省略）を介して、建物の壁面に対して取付ネジやアンカーボルト等によって接続されている。また、第２枠材９３の第２側片９３ｂが表面材９１における止水部６０側とは反対側の部分と当接するように配置され、表面材９１に対してビスによって接続されている。なお、この第２枠材９３は、任意の方法で製造することができるが、例えば、スチール製の板状体を折り曲げ成形することによって製造することができる。
【００５１】
このような支持部９０ａ〜９０ｄにより、開口部全閉状態において、建物の内側又は建物の外側から止水部６０と接触することにより、止水部６０を支持することが可能となる。以下では、必要に応じて、支持部９０ａ〜９０ｄのうち、建物の外側且つ左側の支持部９０ａを「左屋外側支持部９０ａ」と称し、建物の内側且つ左側の支持部９０ｂを「左屋内側支持部９０ｂ」と称し、建物の外側且つ右側の支持部９０ｃを「右屋外側支持部９０ｃ」と称し、建物の内側且つ右側の支持部９０ｄを「右屋内側支持部９０ｄ」と称する。なお、これら左屋外側支持部９０ａ、左屋内側支持部９０ｂ、右屋外側支持部９０ｃ、及び右屋内側支持部９０ｄを特に区別する必要のないときは、単に「支持部９０」と総称する。
【００５２】
（構成−浸水防止構造−止水部と支持部との構成の詳細）
次に、止水部６０と支持部９０との構成の詳細については、下記に示す工夫が施されている。
【００５３】
最初に、止水部６０及び支持部９０の形状の関係については、開口部全閉状態において、止水部６０における支持部９０側の側面のうち、支持部９０と接触する側面１１０（以下、「第１接触側面１１０」）と、支持部９０における止水部６０側の側面のうち、止水部６０と接触する側面１２０（以下、「第２接触側面１２０」）とが上下方向に沿うように直線状に形成されることも考えられるが、実施の形態では、第１接触側面１１０と第２接触側面１２０とが傾斜状に形成されている。このような形状にした理由は以下の通りである。すなわち、第１接触側面１１０と第２接触側面１２０と上下方向に沿うように直線状に形成された場合に、開口部全閉状態においてこれら第１接触側面１１０と第２接触側面１２０を相互に接触させるためには、これら第１接触側面１１０と第２接触側面１２０とのクリアランスをほぼゼロとした上で、止水板６０を上下方向に沿って正確に下ろす必要がある。しかしながら、シャッターカーテン３０の振動（又は揺動）に伴って止水部６０が振動（又は揺動）すると、止水部６０を正確に下ろすことが難しくなり、開口部全閉状態において第１接触側面１１０と第２接触側面１２０とを接触させることが難しくなる可能性がある。また、止水部６０を支持部９０の上端部から下端部まで移動させるまでの間において、上述した第１接触側面１１０と第２接触側面１２０とが常に接触することになるため、この接触による抵抗を止水部６０が受けることで、止水部６０をスムーズに移動させることが難しくなる可能性がある。そこで、このような問題を解消するために、実施の形態においては、止水部６０の第１接触側面１１０と支持部９０の第２接触側面１２０とが傾斜状に形成されている。なお、実施の形態では、後述する側方気密部１３０における支持部９０側の側面を、止水部６０の第１接触側面１１０として説明する。
【００５４】
具体的には、図２に示すように、止水部６０の第１接触側面１１０は、上方から下方に向かうにしたがって本体部７０に接近するように傾斜する傾斜状に形成されている。より具体的には、第１接触側面１１０の上端部から本体部７０に至る距離が、第１接触側面１１０の下端部から本体部７０に至る距離よりも長くなるように、第１接触側面１１０が傾斜状に形成されている。また、支持部９０の第２接触側面１２０は、この第１接触側面１１０と平行に傾斜する傾斜状に形成されている。なお、当接部８０の支持部９０側の側面の形状については任意であるが、実施の形態においては、第１接触側面１１０と同様に、傾斜状に形成されている。このような形状の関係により、止水部６０を支持部９０の上端部から下端部まで移動させるまでの間であって、開口部全閉状態に至るまでの間において、第１接触側面１１０と第２接触側面１２０との相互間の隙間を確保することができる。よって、シャッターカーテン３０の振動（又は揺動）に伴って止水部６０が振動（又は揺動）した場合でも、開口部全閉状態において第１接触側面１１０と第２接触側面１２０とを接触させることが容易となる。また、上記止水部６０を支持部９０の上端部から下端部まで移動させるまでの間において、第１接触側面１１０と第２接触側面１２０とが接触しにくくなるので、止水部６０をスムーズに移動させることが可能となる。
【００５５】
また、支持部９０の下面と第２接触側面１２０とがなす内角αの設定については任意であるが、実施の形態においては、開口部全閉状態において、水圧によって止水部６０が浮き上がることを抑制できるように、当該内角αを４５度よりも大きく、且つ、９０度よりも小さく設定されている。ただし、これに限られず、例えば、上記内角αを０度よりも大きく、且つ、４５度よりも小さく設定されてもよい。これにより、当該内角αを０度よりも大きく、且つ、４５度よりも小さくした場合に比べて、開口部全閉状態において、水圧によって止水部６０が浮き上がることを抑制でき、止水部６０を安定して支持することが可能となる。また、支持部９０の高さ寸法を浸水防止のために必要になる高さ寸法とするためには、支持部９０の幅寸法についてもある程度長くする必要があるが、上記内角を大きくした場合には、上記内角を４５度よりも小さくした場合に比べて、支持部９０の幅寸法を抑制することが可能になり、浸水防止構造の設置スペースを抑制することが可能になる。
【００５６】
次に、当接部８０と支持部９０との設置関係については、以下に示す特徴を有する。まず、第１の特徴として、実施の形態においては、開口部全閉状態において、建物の内側から止水部６０と接触し、且つ、当該建物の外側から当該止水部６０と接触することにより、当該止水部６０を支持できるように、開口部３よりも建物の内側と外側との各々に支持部９０が配置されている。このような設置にした理由は以下の通りである。すなわち、例えば、開口部全閉状態において、建物の外側から止水部６０と接触することにより、当該止水部６０を支持できるように、開口部３よりも建物の外側のみに支持部９０を配置することも考えられる。しかしながら、この場合には、止水部６０に比較的大きな水圧が加えられた場合に、止水部６０が建物の内側に向けて移動することにより、シャッターカーテン３０と開口部３との相互間の隙間から水が浸入する可能性がある。そこで、このような問題を解消するために、実施の形態においては、開口部３よりも建物の内側と外側との各々に支持部９０が配置されている。
【００５７】
また、第２の特徴として、実施の形態においては、本体部７０における支持部９０と対応する部分のみに、当接部８０が設置されている。このような設置にした理由は以下の通りである。すなわち、例えば、当接部８０を、本体部７０の左右方向全長にわたって設置することも考えられる。しかしながら、この場合には、本体部７０の左右方向の長さ（幅）が比較的長くなると、当接部８０の重量が増大する。このため、実施の形態に係る浸水防止構造を既設のシャッターに設置した場合には、シャッターカーテン３０に止水部６０を加えた重量が、シャッター１の既設の開閉機４０の巻き上げ荷重を超えてしまい、開閉機４０の交換が必要になる可能性がある。そこで、このような問題を解消するために、実施の形態においては、本体部７０における支持部９０と対応する部分のみに、当接部８０が設置されている。
【００５８】
これら第１の特徴及び第２の特徴を踏まえた当接部８０及び支持部９０の設置としては、具体的には、図２、図３に示すように、開口部３の左端部において、左屋外側支持部９０ａが開口部３よりも建物の外側に配置され、左屋内側支持部９０ｂが開口部３よりも建物の内側に配置されている。また、開口部３の右端部において、右屋外側支持部９０ｃが開口部３よりも建物の外側に配置され、右屋内側支持部９０ｄが開口部３よりも建物の内側に配置されている。また、図３、図４（ｃ）に示すように、左屋外側当接部８０ａが、本体部７０における左屋外側支持部９０ａと対応する部分（すなわち、本体部７０における建物の外側の側面の左端部）のみに設置され、左屋内側当接部８０ｂが、本体部７０における左屋内側支持部９０ｂと対応する部分（すなわち、本体部７０における建物の内側の側面の左端部）のみに設置される。また、右屋外側当接部８０ｃが、本体部７０における右屋外側支持部９０ｃと対応する部分（すなわち、本体部７０における建物の外側の側面の右端部）のみに設置され、右屋内側当接部８０ｄが、本体部７０における右屋内側支持部９０ｄと対応する部分（すなわち、本体部７０における建物の内側の側面の右端部）のみに設置される。以上のように、開口部３よりも建物の内側と外側との各々に支持部９０が配置されているので、開口部３よりも建物の外側（又は建物の内側）のみに支持部９０を配置した場合に比べて、止水部６０を安定して支持できることから、止水部６０と支持部９０との相互間の隙間から水が浸入することを一層抑制することが可能となる。また、本体部７０における支持部９０と対応する部分のみに、当接部８０が設置されているので、当接部８０を本体部７０の左右方向全長にわたって設置した場合に比べて、当接部８０の重量を低減できる。このため、本実施の形態に係る浸水防止構造を既設のシャッター１に設置した場合でも、シャッターカーテン３０に止水部６０を加えた重量が、シャッター１の既設の開閉機４０の巻き上げ荷重を超えることを回避することができ、既設の開閉機４０をそのまま使用することが可能となる。
【００５９】
次に、止水部６０と支持部９０との接触構造については、開口部全閉状態において、当接部８０を支持部９０に直接的に接触させることも考えられるが、実施の形態では、当接部８０と支持部９０との気密性を高めるために、当接部８０に側方気密部１３０を設けて、当接部８０を側方気密部１３０を介して支持部９０に接触させることとしている。この側方気密部１３０が設けられた理由は以下の通りである。すなわち、例えば、開口部全閉状態において、当接部８０を支持部９０に直接的に接触させる場合に、当接部８０又は支持部９０に製造誤差が生じた場合には、当接部８０と支持部９０とを密着させづらくなる。このため、当接部８０と支持部９０との気密性が低下することにより、当接部８０と支持部９０との相互間の隙間から水が浸入する可能性があった。そこで、このような問題を解消するために、側方気密部１３０が設けられている。この側方気密部１３０は、止水部６０（具体的には、当接部８０）と支持部９０との気密性を高めるための気密手段である。図２から図４に示すように、この側方気密部１３０は、例えば、略矩形状の板状体にて形成されており、左屋外側当接部８０ａ、左屋内側当接部８０ｂ、右屋外側当接部８０ｃ、及び右屋内側当接部８０ｄの各々にそれぞれ設置され、左屋外側当接部８０ａ、左屋内側当接部８０ｂ、右屋外側当接部８０ｃ、及び右屋内側当接部８０ｄの各々に対して接着剤等によって固定されている。
【００６０】
ここで、側方気密部１３０の大きさ及び配置位置は任意であるが、実施の形態においては、開口部全閉状態において、側方気密部１３０の第１接触側面１１０及び支持部９０の第２接触側面１２０において、防水に必要な接触面積が得られるように、配置されている。具体的には、図２から図４に示すように、側方気密部１３０が、当接部８０の側面のうち、支持部９０側の側面全体、下面全体、及び本体部７０の下面の一部にわたって配置されている。また、側方気密部１３０の厚さは任意であるが、実施の形態においては、開口部全閉状態において、当接部８０によって押圧されて変形することにより、当接部８０と支持部９０との気密性を高めることができるように、開口部全閉状態における当接部８０と支持部９０との相互間の距離よりも側方気密部１３０の厚みが大きくなるように設定されている（例えば、開口部全閉状態における当接部８０と支持部９０との相互間の距離＝１０ｍｍ程度である場合に、側方気密部１３０の厚さ＝１５ｍｍから２０ｍｍ程度等）。このような配置により、開口部全閉状態において、側方気密部１３０の第１接触側面１１０及び支持部９０の第２接触側面１２０において、防水に必要な接触面積を得ることができるので、当接部８０と支持部９０との相互間の隙間から水が浸入することを一層抑制することが可能となる。
【００６１】
また、側方気密部１３０は、任意の材質で製造することができるが、実施の形態においては、耐水性を有し、且つ、変形可能な材質で製造されており、比較的硬度が低い樹脂材（例えば、ゴム発泡体等）で製造されている。
【００６２】
上述したように、側方気密部１３０が構成されることで、開口部全閉状態において、支持部９０によって側方気密部１３０が押圧されて変形することにより、側方気密部１３０と支持部９０とを密着させることができる。よって、当接部８０と支持部９０との気密性を高めることができるので、当接部８０と支持部９０との相互間の隙間から水が浸入することを抑制することが可能となる。特に、当接部８０に側方気密部１３０を設けたので、支持部９０に側方気密部１３０を設けた場合に比べて、側方気密部１３０に水や埃等の異物が溜まりにくいことから、側方気密部１３０の劣化を抑制することが可能となる。
【００６３】
次に、止水部６０とくつずり部５０との接触構造については、開口部全閉状態において、本体部７０をくつずり部５０に直接的に接触させることも考えられるが、実施の形態では、本体部７０とくつずり部５０との気密性を高めるために、本体部７０に下方気密部１４０を設けて、本体部７０を下方気密部１４０を介してくつずり部５０に接触させることとしている。この下方気密部１４０が設けられた理由は、以下の通りである。すなわち、開口部全閉状態において、本体部７０をくつずり部５０に直接的に接触させる場合に、本体部７０又はくつずり部５０に製造誤差が生じた場合には、本体部７０とくつずり部５０とを密着させづらくなる。このため、本体部７０とくつずり部５０との気密性が低下することにより、本体部７０とくつずり部５０との相互間の隙間から水が浸入する可能性があった。そこで、このような問題を解消するために、下方気密部１４０が設けられている。この下方気密部１４０は、止水部６０（具体的には、本体部７０）とくつずり部５０との気密性を高めるためのものである。図２、図４に示すように、この下方気密部１４０は、肉厚な板状体（例えば、厚さ１０ｍｍから２０ｍｍの板状体等）であり、本体部７０の左右方向全長にわたって形成されている。また、この下方気密部１４０は、本体部７０の下面におけるくつずり部５０と対向する部分（具体的には、本体部７０の下面の略中央部分）に配置されており、本体部７０の下側横枠材７２ｄに対してビス等によって固定されている。
【００６４】
また、下方気密部１４０には、切欠部１４１が形成されている。切欠部１４１は、下方気密部１４０をくつずり部５０とを線接触させたり、上記ビスのヘッドを収容するための空間を形成するためのものである。この切欠部１４１は、下方気密部１４０の下面において、下方気密部１４０の左右方向全長にわたって形成されている。また、この切欠部１４１の縦断面形状については任意であるが、実施の形態においては、ビスを容易に打つことができるように、矩形状にて形成されている（あるいは、台形状、半円形状にて形成されてもよい）。このような切欠部１４１によって、下方気密部１４０をくつずり部５０とを線接触させることができるため、開口部全閉状態において、下方気密部１４０とくつずり部５０との相互間の隙間から水が浸入することを一層抑制できる。また、切欠部１４１によって形成された空間内に上記ビスのヘッドを収容できるため、上記ビスのヘッドによって、下方気密部１４０とくつずり部５０とが密着しにくくなることを防止できる。
【００６５】
また、この下方気密部１４０は、任意の材質で製造することができるが、実施の形態においては、耐水性を有し、且つ、耐久性を有する変形可能な材質で製造されており、具体的には、下方気密部１４０の硬度が側方気密部１３０の硬度よりも高い樹脂材（例えば、エチレンプロピレンジエンゴム等）で製造されている。
【００６６】
このような下方気密部１４０により、開口部全閉状態において、くつずり部５０によって下方気密部１４０が押圧されて変形することにより、下方気密部１４０とくつずり部５０とを密着させることができる。よって、本体部７０とくつずり部５０との気密性を高めることができ、本体部７０とくつずり部５０との相互間の隙間から水が浸入することを抑制することが可能となる。特に、本体部７０に下方気密部１４０を設けたので、くつずり部５０に下方気密部１４０を設けた場合に比べて、下方気密部１４０に水や埃等の異物が溜まりにくいことから、下方気密部１４０の劣化を抑制することが可能となる。
【００６７】
以上のような浸水防止構造により、開口部全閉状態において、シャッターカーテン３０と開口部３との相互間の隙間から水が浸入することを防止できる。特に、第１接触側面１１０と第２接触側面１２０とが上記傾斜状に形成されているので、第１接触側面１１０と第２接触側面１２０とが上下方向に沿うように直線状に形成された場合と比べて、止水部６０を支持部９０の上端部から下端部まで移動させるまでの間であって、開口部全閉状態の直前に至るまでの間において、第１接触側面１１０と第２接触側面１２０との相互間の隙間を確保することができる。よって、シャッターカーテン３０の振動（又は揺動）に伴って止水部６０が振動（又は揺動）した場合でも、開口部全閉状態において第１接触側面１１０と第２接触側面１２０とを接触させることが容易となる。また、上記止水部６０を支持部９０の上端部から下端部まで移動させるまでの間において、第１接触側面１１０と第２接触側面１２０とを常に接触させる必要がなくなるので、止水部６０をスムーズに移動させることが可能となる。特に、第１接触側面１１０又は第２接触側面１２０のいずれか一方に側方気密部１３０が設けられた場合に、シャッターカーテン３０の上下移動が繰り返されたとしても、第１接触側面１１０と第２接触側面１２０とが上下方向に沿うように直線状に形成された場合と比べて、側方気密部１３０と支持部９０とが擦れにくくなるので、側方気密部１３０の劣化を抑制することが可能となる。
【００６８】
（構成−浸水防止構造−止水部の製造方法）
次に、浸水防止構造の構成のうち、止水部６０の製造方法について説明する。
【００６９】
最初に、止水部６０の本体部７０を製造するために、以下の工程を行う。まず、正面形状が矩形環状となるように、左側縦枠材７２ａ、右側縦枠材７２ｂ、上側横枠材７２ｃ、及び下側横枠材７２ｄを組み合わせた後、各接続部分を溶接等によって接続することにより、枠部７１を形成する。次に、枠部７１内において、複数の補強材７４を所定位置に配置した後、これら補強材７４の各々を枠部７１に対して溶接等により接続する。次いで、屋内側表面材７３ｂの内面が上向きとなるように、屋内側表面材７３ｂを組立台（図示省略）の上面に載置する。次に、この屋内側表面材７３ｂの各側面のうち、枠部７１及び補強材７４と当接する面に接着剤を塗布した後、補強材７４と接続された枠部７１を屋内側表面材７３ｂの内面における所定の固定位置に載置することにより、この枠部７１を屋内側表面材７３ｂに固定する。続いて、屋外側表面材７３ａの各側面のうち、枠部７１及び補強材７４に対して当接する面に接着剤を塗布した後、この塗布面を下側にして屋外側表面材７３ａを枠部７１及び補強材７４に対して載置することにより、屋外側表面材７３ａをこれら枠部７１及び補強材７４に固定する。そして、接続片７５を上側横枠材７２ｃに対してビスにより接続すると共に、張出部７６を、枠部７１の左側縦枠材７２ａ及び右側縦枠材７２ｂに対して溶接により接続する。
【００７０】
次に、本体部７０に左屋外側当接部８０ａ、左屋内側当接部８０ｂ、右屋外側当接部８０ｃ、及び右屋内側当接部８０ｄの各々を取り付けるために、以下の工程を行う。まず、本体部７０における各当接部８０が設置される部分に対して、各当接部８０の接続片８２をビスによって接続した後に、この接続片８２が中空箱状体に形成された当該当接部８０の表面材８１内に収容されるように、当該表面材８１を配置する。そして、この表面材８１を接続片８２に対してビスによって接続する。
【００７１】
次に、左屋外側当接部８０ａ、左屋内側当接部８０ｂ、右屋外側当接部８０ｃ、及び右屋内側当接部８０ｄの各々に、側方気密部１３０を取り付けるために、以下の工程を行う。すなわち、各当接部８０における支持部９０側の側面及び下面、並びに本体部７０の下面に接着剤を塗布した後、この塗布面に側方気密部１３０を当接させることにより、この側方気密部１３０を各当接部８０に接続する。
【００７２】
また、側方気密部１３０の取り付けの前後いずれかの時点において、本体部７０に、下方気密部１４０を取り付けるために、以下の工程を行う。すなわち、本体部７０の下面に下方気密部１４０を当接した状態で、この下方気密部１４０を本体部７０に対してビスによって接続する。これにて、止水部６０の製造が終了する。
【００７３】
（構成−浸水防止構造−取付方法）
次に、浸水防止構造の取付方法について説明する。
【００７４】
まず、左屋外側支持部９０ａ、左屋内側支持部９０ｂ、右屋外側支持部９０ｃ、及び右屋内側支持部９０ｄの各々を開口部３の左端部又は右端部に設置するために、以下の工程を行う。まず、各支持部９０の第１枠材９２及び第２枠材９３を建物の壁面に対して取付ネジによって接続した後に、これら第１枠材９２及び第２枠材９３が中空箱状体にて形成された各支持部９０内に収容されるように、当該表面材９１を建物の床面に載置する。次いで、この表面材９１を、第１枠材９２及び第２枠材９３に対してビスによって接続した後、表面材９１と建物の壁面との境界部分、及び表面材９１と建物の床面との境界部分を、公知のコーキング材によって被覆する。
【００７５】
また、左屋外側支持部９０ａ、左屋内側支持部９０ｂ、右屋外側支持部９０ｃ、及び右屋内側支持部９０ｄの設置の前後いずれかの時点において、止水部６０を座板バー３２に取り付けるために、以下の工程を行う。まず、開口部３が半開状態となるように、シャッターカーテン３０を上下動させる。具体的には、支持部９０の設置を行う前に止水部６０の取り付けを行う場合には、建物の床面から座板バー３２の下端部に至るまでの距離（高さ）が、止水部６０の上下方向の長さ（高さ）を上回るように、シャッターカーテン３０を移動させる。また、支持部９０の設置を行った後に止水部６０の取り付けを行う場合には、建物の床面から座板バー３２の下端部に至るまでの距離（高さ）が、支持部９０の上下方向の長さ（高さ）と、止水部６０の上下方向の長さ（高さ）とを加算した合計長さ（合計高さ）を上回るように、シャッターカーテン３０を移動させる。次に、座板３１に水平の座板片が取り付けられている場合には、座板片を取り外す。そして、止水部６０の左端部（又は右端部）に取り付けられた張出部７６が左側（又は右側）のガイドレール２０に挿入されるように、止水部６０を建物の床面に載置する。次いで、この止水部６０の接続片７５を座板バー３２に対してボルト及びナットで接続することで、止水部６０を座板バー３２に取り付ける。これにて、浸水防止構造の取り付けが終了する。なお、浸水防止構造を取り外す場合には、上述した方法とは逆手順の作業を行うことにより、浸水防止構造を取り外すことができる。
【００７６】
（効果）
このように実施の形態によれば、止水部６０を上方から下方に向けて支持部９０に接触させる場合に、止水部６０における支持部９０と接触する第１接触側面１１０全体が、支持部９０における止水部６０と接触する第２接触側面１２０全体と接触可能となるように、第１接触側面１１０と第２接触側面１２０とをそれぞれ傾斜状に形成し、開口部全閉状態において、第１接触側面１１０と第２接触側面１２０との相互間の隙間から水が浸入しないように、第１接触側面１１０と第２接触側面１２０とを接触させたので、開口部全閉状態において、シャッターカーテン３０と開口部３との相互間の隙間から水が浸入することを防止できる。特に、第１接触側面１１０と第２接触側面１２０とが上記傾斜状に形成されているので、第１接触側面１１０と第２接触側面１２０とが上下方向に沿うように直線状に形成された場合と比べて、止水部６０を支持部９０の上端部から下端部まで移動させるまでの間であって、開口部全閉状態の直前に至るまでの間において、第１接触側面１１０と第２接触側面１２０との相互間の隙間を確保することができる。よって、シャッターカーテン３０の振動（又は揺動）に伴って止水部６０が振動（又は揺動）した場合でも、開口部全閉状態において第１接触側面１１０と第２接触側面１２０とを接触させることが容易となる。また、上記止水部６０を支持部９０の上端部から下端部まで移動させるまでの間において、第１接触側面１１０と第２接触側面１２０とを接触させる必要がないため、止水部６０をスムーズに移動させることが可能となる。
【００７７】
また、止水部６０は、シャッターカーテン３０の下端部から下方に向けて張り出された本体部７０と、本体部７０における支持部９０と対応する部分のみから建物の内側又は建物の外側に向けて突出するように設けられた当接部８０と、を備えたので、当接部８０を本体部７０の幅方向全長にわたって設置した場合に比べて、当接部８０の重量を低減できる。よって、実施の形態に係る浸水防止構造を既設のシャッターに設置する場合でも、このシャッターの開閉機が持ち上げることが可能な重量を超えることを回避することができ、当該開閉機の交換を行うことなく、当該開閉機をそのまま使用することが可能となる。
【００７８】
また、開口部３よりも建物の内側と外側との各々に支持部９０を配置したので、開口部３よりも建物の外側（又は建物の内側）のみに支持部９０を配置した場合に比べて、止水部６０を安定して支持できることから、止水部６０と支持部９０との相互間の隙間から水が浸入することを一層抑制することが可能となる。
【００７９】
また、止水部６０における支持部９０側の側面には、開口部全閉状態において、支持部９０によって押圧されて変形することにより、止水部６０と支持部９０との気密性を高めるための側方気密部１３０を設けたので、開口部全閉状態において、支持部９０によって下方気密部１４０が押圧されて変形することにより、側方気密部１３０と支持部９０とを密着させることができる。よって、止水部６０と支持部９０との気密性を高めることができるので、止水部６０と支持部９０との相互間の隙間から水が浸入することを抑制することが可能となる。また、止水部６０に側方気密部１３０を設けたので、支持部９０に側方気密部１３０を設けた場合に比べて、気密部に水や埃等の異物が溜まりにくいことから、側方気密部１３０の劣化を抑制することが可能となる。さらに、傾斜面である第１接触側面１１０に側方気密部１３０を設けているので、シャッターカーテン３０の上下移動が繰り返されたとしても、第１接触側面１１０と第２接触側面１２０とが上下方向に沿うように直線状に形成された場合と比べて、側方気密部１３０と支持部９０とが擦れにくくなるため、側方気密部１３０の劣化を抑制することが可能となる。
【００８０】
また、支持部９０の下面と第２接触側面１２０とがなす内角αを、４５度よりも大きく、且つ、９０度よりも小さくしたので、当該内角αを０度よりも大きく、且つ、４５度よりも小さくした場合に比べて、開口部全閉状態において、水圧によって止水部６０が浮き上がることを抑制でき、止水部６０を安定して支持することが可能となる。また、支持部９０の高さ寸法を浸水防止のために必要になる高さ寸法とするためには、支持部９０の幅寸法についてもある程度長くする必要があるが、上記内角を大きくした場合には、上記内角を４５度よりも小さくした場合に比べて、支持部９０の幅寸法を抑制することが可能になり、浸水防止構造の設置スペースを抑制することが可能になる。
【００８１】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００８２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る浸水防止構造の浸水防止性能が従来と同程度であっても、従来と異なる構造により従来と同程度の浸水防止性能となっている場合には、本願の課題は解決している。
【００８３】
（浸水防止構造について）
上記実施の形態では、浸水防止構造が、シャッターカーテン３０と開口部３との相互間の隙間、すなわち、上述した下方隙間、左側方隙間、及び右側方隙間からの水の浸入を防止するものであると説明したが、これに限られず、例えば、この下方隙間、左側方隙間、又は右側方隙間のいずれか１つ又は２つのみからの水の浸入を防止するものであってもよい。
【００８４】
また、上記実施の形態では、本発明の浸水防止構造のみをシャッター１に適用すると説明したが、これに限られず、例えば、本発明の浸水防止構造と従来の浸水防止構造とをシャッター１に適用してもよい。具体的には、シャッター１の左端部側においては、本発明の浸水防止構造を構成する止水部６０と、支持部９０とが設置され、シャッター１の右端部側においては、上述した従来の浸水防止構造を構成する止水板と、シール部材が取り付けられた止水用ガイドレールとが設置されてもよい。
【００８５】
また、上記実施の形態では、浸水防止構造が、止水部６０と、支持部９０とを備えていると説明したが、これに限られず、例えば、これらの構成要素に加えて、光電センサを備えてもよい。光電センサは、障害物を検知する障害物検知手段である。この光電センサは、光を送信する送光部と、送光部からの光を受ける受光部とを備えており、送光部が左屋外側支持部９０ａ又は左屋内側支持部９０ｂのいずれか一方に取付けられ、受光部が左屋外側支持部９０ａ又は左屋内側支持部９０ｂのいずれか他方に取付けられる。このような光電センサにより、障害物を検知した際にシャッターカーテン３０の下降を停止させる等の公知の制御を行うことで、止水部６０を安全に上下移動させることが可能となる。
【００８６】
（止水部について）
上記実施の形態では、本体部７０と当接部８０とが別体にて形成されていると説明したが、これに限られず、本体部７０と当接部８０とが一体形成されてもよい。
【００８７】
また、上記実施の形態では、止水部６０が本体部７０を備えていると説明したが、これに限られない。例えば、座板３１が浸水防止機能を備えている場合には、本体部７０を省略してもよい。図６は、止水部６０の変形例を示す図である。上述したように、本体部７０を省略した場合には、以下に示す構成が採用される。具体的には、図６に示すように、座板バー３２の下端部に、肉厚板状の連結部材３４が接続される。また、この連結部材３４の下端部に設けられた座板片３３の下面に、下方気密部１４０が取り付けられる。そして、側方気密部１３０が取り付けられた当接部８０が、連結部材３４における建物の外側の側面及び建物の内側の側面の各々に対してビス等により接続される。
【００８８】
（張出部について）
上記実施の形態では、張出部７６が、本体部７０の左右方向の両端部の各々において、本体部７０の上下方向全長にわたって設置されていると説明したが、これに限られず、例えば、本体部７０の左右方向の両端部の各々において、所定間隔を隔てて上下方向に沿って複数並設されてもよい。
【００８９】
（当接部について）
上記実施の形態では、当接部８０が本体部７０における支持部９０と対応する部分のみに設けられていると説明したが、これに限られず、例えば、当接部８０が本体部７０の左右方向全長にわたって設けられてもよい。
【００９０】
（支持部について）
上記実施の形態では、左屋外側支持部９０ａ、左屋内側支持部９０ｂ、右屋外側支持部９０ｃ、及び右屋内側支持部９０ｄが設けられていると説明したが、これに限られない。例えば、左屋外側支持部９０ａ及び右屋外側支持部９０ｃのみ、又は、左屋内側支持部９０ｂ及び右屋内側支持部９０ｄのみが設けられてもよい。あるいは、左屋外側支持部９０ａ及び右屋内側支持部９０ｄのみ、又は、左屋内側支持部９０ｂ及び右屋外側支持部９０ｃのみが設けられてもよい。これらの場合において、当接部８０が本体部７０における支持部９０と対応する部分のみに設けられてもよく、例えば、左屋外側支持部９０ａ及び右屋外側支持部９０ｃのみが設けられた場合には、左屋外側当接部８０ａ及び右屋外側当接部８０ｃのみが設けれる。
【００９１】
（側方気密部について）
上記実施の形態では、側方気密部１３０が、止水部６０のみに設けられていると説明したが、これに限られない。例えば、側方気密部１３０を支持部９０における止水部６０側の側面のみに設けてもよい。この場合には、当接部８０における支持部９０側の側面が、止水部６０の第１接触側面１１０となり、側方気密部１３０における止水部６０側の側面が、支持部９０の第２接触側面１２０となる。また、側方気密部１３０が、止水部６０及び支持部９０の各々に設けられてもよい。この場合には、止水部６０に設けられた側方気密部１３０における支持部９０側の側面が、止水部６０の第１接触側面１１０となり、支持部９０に設けられた側方気密部１３０における止水部６０側の側面が、支持部９０の第２接触側面１２０となる。また、側方気密部１３０を省略してもよい。この場合には、当接部８０における支持部９０側の側面が、止水部６０の第１接触側面１１０となり、支持部９０における止水部６０側の側面が、支持部９０の第２接触側面１２０となる。
【００９２】
また、上記実施の形態では、当接部８０の支持部９０側の側面を傾斜状に形成した上で、この傾斜状の側面に直線状の側方気密部１３０を取り付けることにより、止水部６０の第１接触側面１１０を傾斜状にしているが、これに限られない。例えば、当接部８０の支持部９０側の側面を直線状に形成した上で、支持部９０側の側面を傾斜状とした側方気密部１３０を取り付けることで、止水部６０の第１接触側面１１０を傾斜状にしてもよい。あるいは、これら当接部８０の支持部９０側の側面と側方気密部１３０の支持部９０側の側面との両方を傾斜状に形成して相互に組み合わせることにより、止水部６０の第１接触側面１１０を傾斜状にしてもよい（なお、支持部９０に側方気密部１３０が取り付けられた場合における側方気密部１３０の止水部６０側の側面及び支持部９０の止水部６０側の側面についても同様とする）。
【００９３】
（下方気密部について）
上記実施の形態では、下方気密部１４０が、止水部６０に設けられていると説明したが、これに限られない。例えば、下方気密部１４０がくつずり部５０に設けられてもよい。あるいは、下方気密部１４０を省略してもよい。
【００９４】
（くつずり部について）
上記実施の形態では、くつずり部５０が設けられていると説明したが、これに限られず、例えば、くつずり部５０を省略してもよい。
【００９５】
（付記）
付記１の浸水防止構造は、建物の壁の開口部を開閉するシャッターカーテンを備えたシャッターを対象とした浸水防止構造であり、前記シャッターカーテンと前記開口部との相互間の隙間から水が浸入することを防止するための浸水防止構造であって、前記シャッターカーテンの下端部において、前記開口部の幅方向の少なくとも一方の端部側に設けられた止水手段と、前記開口部の幅方向の少なくとも一方の端部側であり、前記止水手段側の端部側に設けられた支持手段であって、前記シャッターカーテンによって当該開口部を全閉した状態において、前記建物の内側又は前記建物の外側から当該止水手段と接触することにより、当該止水手段を支持する支持手段と、を備え、前記止水手段を上方から下方に向けて前記支持手段に接触させる場合に、当該止水手段における当該支持手段と接触する第１接触側面全体が、当該支持手段における当該止水手段と接触する第２接触側面全体と接触可能となるように、当該第１接触側面と当該第２接触側面とをそれぞれ傾斜状に形成し、前記シャッターカーテンによって前記開口部を全閉した状態において、前記第１接触側面と前記第２接触側面との相互間の隙間から水が浸入しないように、当該第１接触側面と当該第２接触側面とを接触させた。
【００９６】
付記２の浸水防止構造は、付記１に記載の浸水防止構造において、前記止水手段は、前記シャッターカーテンの下端部から下方に向けて張り出された本体部と、前記本体部における前記支持手段と対応する部分のみから前記建物の内側又は前記建物の外側に向けて突出するように設けられた当接部と、を備え、前記シャッターカーテンによって前記開口部を全閉した状態において、前記当接部と前記支持手段との相互間で、前記第１接触側面と前記第２接触側面とを接触させた。
【００９７】
付記３の浸水防止構造は、付記１又は２に記載の浸水防止構造において、前記シャッターカーテンによって前記開口部を全閉した状態において、前記建物の内側から前記止水手段と接触し、且つ、当該建物の外側から当該止水手段と接触することにより、当該止水手段を支持できるように、前記開口部よりも当該建物の内側と外側との各々に前記支持手段を配置した。
【００９８】
付記４の浸水防止構造は、付記１から３のいずれか一項に記載の浸水防止構造において、前記止水手段における前記支持手段側の側面には、前記シャッターカーテンによって前記開口部を全閉した状態において、当該支持手段によって押圧されて変形することにより、当該止水手段と当該支持手段との気密性を高めるための気密手段を設け、前記気密手段における前記支持手段側の側面を、前記第１接触側面とした。
【００９９】
付記５の浸水防止構造は、付記１から４のいずれか一項に記載の浸水防止構造において、前記支持手段の下面と前記第２接触側面とがなす内角を、４５度よりも大きく、且つ、９０度よりも小さくした。
【０１００】
（付記の効果）
付記１に記載の浸水防止構造によれば、止水手段を上方から下方に向けて支持手段に接触させる場合に、止水手段における支持手段と接触する第１接触側面全体が、支持手段における止水手段と接触する第２接触側面全体と接触可能となるように、第１接触側面と第２接触側面とをそれぞれ傾斜状に形成し、シャッターカーテンによって開口部を全閉した状態において、第１接触側面と第２接触側面との相互間の隙間から水が浸入しないように、第１接触側面と第２接触側面とを接触させたので、上記開口部を全閉した状態において、シャッターカーテンと開口部との相互間の隙間から水が浸入することを防止できる。特に、第１接触側面と第２接触側面とが上記傾斜状に形成されているので、第１接触側面と第２接触側面とが上下方向に沿うように直線状に形成された場合と比べて、止水手段を支持手段の上端部から下端部まで移動させるまでの間であって、上記開口部を全閉した状態の直前に至るまでの間において、第１接触側面と第２接触側面との相互間の隙間を確保することができる。よって、シャッターカーテンの振動（又は揺動）に伴って止水手段が振動（又は揺動）した場合でも、開口部を全閉した状態において第１接触側面と第２接触側面とを接触させることが容易となる。また、上記止水手段を支持手段の上端部から下端部まで移動させるまでの間において、第１接触側面と第２接触側面とが接触しにくくなるので、止水手段をスムーズに移動させることが可能となる。
【０１０１】
付記２に記載の浸水防止構造によれば、止水手段は、シャッターカーテンの下端部から下方に向けて張り出された本体部と、本体部における支持手段と対応する部分のみから建物の内側又は建物の外側に向けて突出するように設けられた当接部と、を備えたので、当接部を本体部の幅方向全長にわたって設置した場合に比べて、当接部の重量を低減できる。このため、当該浸水防止構造を既設のシャッターに設置した場合でも、シャッターカーテンに止水手段を加えた重量が、シャッターの既設の開閉機の巻き上げ荷重を超えることを回避することができ、既設の開閉機をそのまま使用することが可能となる。
【０１０２】
付記３に記載の浸水防止構造によれば、開口部よりも建物の内側と外側との各々に支持手段を配置したので、開口部よりも建物の外側（又は建物の内側）のみに支持手段を配置した場合に比べて、止水手段を安定して支持できることから、止水手段と支持手段との相互間の隙間から水が浸入することを一層抑制することが可能となる。
【０１０３】
付記４に記載の浸水防止構造によれば、止水手段における支持手段側の側面には、シャッターカーテンによって開口部を全閉した状態において、支持手段によって押圧されて変形することにより、止水手段と支持手段との気密性を高めるための気密手段を設けたので、上記開口部を全閉した状態において、支持手段によって気密手段が押圧されて変形することにより、気密手段と支持手段とを密着させることができる。よって、止水手段と支持手段との気密性を高めることができるので、止水手段と支持手段との相互間の隙間から水が浸入することを抑制することが可能となる。また、止水手段に気密手段を設けたので、支持手段に気密手段を設けた場合に比べて、気密手段に水や埃等の異物が溜まりにくいことから、気密手段の劣化を抑制することが可能となる。さらに、傾斜面である第１接触側面に気密手段を設けているので、シャッターカーテンの上下移動が繰り返されたとしても、第１接触側面と第２接触側面とが上下方向に沿うように直線状に形成された場合と比べて、気密手段と支持手段とが擦れにくくなるため、気密手段の劣化を抑制することが可能となる。
【０１０４】
付記５に記載の浸水防止構造によれば、支持手段の下面と第２接触側面とがなす内角を、４５度よりも大きく、且つ、９０度よりも小さくしたので、当該内角を０度よりも大きく、且つ、４５度よりも小さくした場合に比べて、シャッターカーテンによって開口部を全閉した状態において、水圧によって止水手段が浮き上がることを抑制でき、止水手段を安定して支持することが可能となる。また、支持手段の高さ寸法を浸水防止のために必要になる高さ寸法とするためには、支持手段の幅寸法についてもある程度長くする必要があるが、上記内角を大きくした場合には、上記内角を４５度よりも小さくした場合に比べて、支持手段の幅寸法を抑制することが可能になり、浸水防止構造の設置スペースを抑制することが可能になる。
【符号の説明】
【０１０５】
１  シャッター
２  躯体
３  開口部
４  溝部
１０  シャッター収納部
２０  ガイドレール
３０  シャッターカーテン
３０ａ  スラット
３０ｂ  嵌合部
３１  座板
３１ａ  嵌合部
３２  座板バー
３３  座板片
３４  連結部材
４０  開閉機
４１  巻き取り軸
５０  くつずり部
５１  台座部
５２  当接部
５３  補強部
６０  止水部
７０  本体部
７１  枠部
７２ａ  縦枠材（左側縦枠材）
７２ｂ  縦枠材（右側縦枠材）
７２ｃ  横枠材（上側横枠材）
７２ｄ  横枠材（下側横枠材）
７３ａ  表面材（屋外側表面材）
７３ｂ  表面材（屋内側表面材）
７４  補強材
７５  接続片
７５ａ  第１側片
７５ｂ  第２側片
７６  張出部
８０  当接部
８０ａ  当接部（左屋外側当接部）
８０ｂ  当接部（左屋内側当接部）
８０ｃ  当接部（右屋外側当接部）
８０ｄ  当接部（右屋内側当接部）
８１  表面材
８２  接続片
８２ａ  第１側片
８２ｂ  第２側片
８２ｃ  第３側片
９０  支持部
９０ａ  支持部（左屋外側支持部）
９０ｂ  支持部（左屋内側支持部）
９０ｃ  支持部（右屋外側支持部）
９０ｄ  支持部（右屋内側支持部）
９１  表面材
９２  第１枠材
９２ａ  第１側片
９２ｂ  第２側片
９３  第２枠材
９３ａ  第１側片
９３ｂ  第２側片
１１０  第１接触側面
１２０  第２接触側面
１３０  側方気密部
１４０  下方気密部
１４１  切欠部
α  支持部の下面と第２接触側面とがなす内角
【図１】
0006444730.tif 000002
【図２】
0006444730.tif 000003
【図３】
0006444730.tif 000004
【図４】
0006444730.tif 000005
【図５】
0006444730.tif 000006
【図６】
0006444730.tif 000007